(57)【要約】【課題】簡単な操作で施錠、解錠および蹴り出し動作を行うことができる電動錠装置および引戸を提供すること。【解決手段】電動錠装置は、電動操作ユニット５０と、錠と、蹴り出し機構と、これらを連結した連動バーとを備える。電動操作ユニット５０は、操作部５１と、電動モータ５２と、制御部５４と、伝達機構５６とを備える。制御部５４は、操作部５１の解錠操作に基づいて、連動バーを施錠位置から解錠位置を通過して蹴り出し位置まで移動させ、その後、スライダ５５を蹴り出し位置から解錠位置まで移動させる電動モータ５２の駆動制御を実行し、かつ、操作部５１の施錠操作に基づいて、連動バーを解錠位置から施錠位置まで移動させる電動モータ５２の駆動制御を実行する構成とされている。【選択図】図３
2018127790.tif 000002
【特許請求の範囲】
【請求項１】
戸体に装着可能な電動操作ユニットと、前記戸体の解錠および施錠を行う錠と、前記戸体の蹴り出しを行う蹴り出し機構と、前記電動操作ユニット、前記錠および前記蹴り出し機構を連結した連動バーとを備え、
前記電動操作ユニットは、解錠操作および施錠操作可能な操作部と、電動モータと、前記操作部の操作に基づいて前記電動モータの駆動を制御する制御部と、前記電動モータの駆動を前記連動バーに伝達する伝達機構とを備え、
前記連動バーは、施錠位置と、蹴り出し位置と、当該施錠位置および蹴り出し位置間にある解錠位置とに移動可能に配置され、
前記錠は、前記連動バーの前記施錠位置から前記解錠位置への移動に連動して解錠し、かつ、前記連動バーの前記解錠位置から前記施錠位置への移動に連動して施錠する構成とされ、
前記蹴り出し機構は、前記連動バーの前記解錠位置から前記蹴り出し位置への移動に連動して前記戸体の蹴り出しを行う構成とされ、
前記制御部は、前記操作部の解錠操作に基づいて、前記連動バーを前記施錠位置から前記解錠位置を通過して前記蹴り出し位置まで移動させ、その後、前記連動バーを前記蹴り出し位置から前記解錠位置まで移動させる前記電動モータの駆動制御を実行し、かつ、前記操作部の施錠操作に基づいて、前記連動バーを前記解錠位置から前記施錠位置まで移動させる前記電動モータの駆動制御を実行する構成とされている
ことを特徴とする電動錠装置。
【請求項２】
請求項１に記載の電動錠装置において、
前記連動バーは上下動可能に配置され、
前記伝達機構は、前記電動モータに連結された減速歯車機構と、前記減速歯車機構に連結された回動部材と、前記連動バーに取り付けられたスライダとを備え、
前記回動部材には、その回動軸心から離間した位置にガイドピンが取り付けられ、
前記スライダには、前記ガイドピンが配置された横ガイド溝が形成されている
ことを特徴とする電動錠装置。
【請求項３】
請求項１または請求項２に記載の電動錠装置において、
前記連動バーに係合してその移動を規制する空掛け防止機構を備え、
前記空掛け防止機構は、前記戸体に装着可能なケースと、前記ケースに対して進退可能に配置された戸当り部材と、前記戸当り部材を前記ケースに対して前進方向に付勢する付勢部材とを備え、
前記連動バーには切欠き部が形成され、
前記戸当り部材は、前記ケースに対して前進した状態で前記切欠き部に係合し、前記ケースに対して後退した状態で前記切欠き部との係合が外れる構成とされている
ことを特徴とする電動錠装置。
【請求項４】
枠体と、枠体内に配置されたスライド可能な戸体と、前記戸体に装着された請求項１から請求項３のいずれか一項に記載の電動錠装置とを備えている
ことを特徴とする引戸。
【発明の詳細な説明】
【技術分野】
【０００１】
本発明は、戸体の施錠、解錠および蹴り出しを行う電動錠装置および引戸に関する。
【背景技術】
【０００２】
従来、例えば大型で重たい戸体を開放方向にスライドさせるため、戸体を開放方向に向かって蹴り出す蹴り出し機構（開放支援機構）付きの錠装置が用いられる。
この錠装置としては、例えば特許文献１に記載された開放支援機構付き鎌錠が知られている。
【０００３】
この鎌錠は、図１１に示すように、縦枠に取り付けられたストライカー１０４に係合可能なフックボルト１１５と、フックボルト１１５を施錠姿勢と解錠姿勢とに切り換え操作するサムターンレバーと一体のサムターン軸１２０と、解錠状態のフックボルト１１５が施錠姿勢に切り換わるのを規制するトリガー１１７と、開放支援機構とを備えており、これらの構成は、引戸１０２に装着されたケース１１０に設けられている。
【０００４】
開放支援機構は、キックレバー１４２と、付勢ばね１４６と、操作ハンドル１４５とによって構成されている。キックレバー１４２は、ケース１１０内における待機姿勢と、当該キックレバー１４２の一部がケース１１０外へ突出した作動姿勢との間で往復動可能にケース１１０に軸支されている。付勢ばね１４６は、キックレバー１４２を待機姿勢となる方向へ向かって付勢する引張コイルばねによって構成されている。操作ハンドル１４５は、付勢ばね１４６の付勢力に抗してキックレバー１４２を待機姿勢から作動姿勢に切り換え操作可能に配置されている。
キックレバー１４２およびフックボルト１１５は、リンク棒１４７を介して連動可能に連結されている。この開放支援機構は、操作ハンドル１４５のハンドル動作によってキックレバー１４２を回動させることで、キックレバー１４２による縦枠に対する蹴り出し動作と、キックレバー１４２に連動するフックボルト１１５によるストライカー１０４との係合を解除する解錠動作を行う構成とされている。
【先行技術文献】
【特許文献】
【０００５】
【特許文献１】特許第４４２６４７７号公報
【発明の概要】
【発明が解決しようとする課題】
【０００６】
ところで、特許文献１に記載された鎌錠では、キックレバー１４２の作動姿勢から待機姿勢への回動はフックボルト１１５の施錠動作とは連動しない。このため、施錠動作は、操作ハンドル１４５とは別のサムターンレバーを操作しなければならず、操作が煩雑である。
【０００７】
本発明の目的は、簡単な操作で施錠、解錠および蹴り出し動作を行うことができる電動錠装置および引戸を提供することにある。
【課題を解決するための手段】
【０００８】
本発明の電動錠装置は、戸体に装着可能な電動操作ユニットと、前記戸体の解錠および施錠を行う錠と、前記戸体の蹴り出しを行う蹴り出し機構と、前記電動操作ユニット、前記錠および前記蹴り出し機構を連結した連動バーとを備え、前記電動操作ユニットは、解錠操作および施錠操作可能な操作部と、電動モータと、前記操作部の操作に基づいて前記電動モータの駆動を制御する制御部と、前記電動モータの駆動を前記連動バーに伝達する伝達機構とを備え、前記連動バーは、施錠位置と、蹴り出し位置と、当該施錠位置および蹴り出し位置間にある解錠位置とに移動可能に配置され、前記錠は、前記連動バーの前記施錠位置から前記解錠位置への移動に連動して解錠し、かつ、前記連動バーの前記解錠位置から前記施錠位置への移動に連動して施錠する構成とされ、前記蹴り出し機構は、前記連動バーの前記解錠位置から前記蹴り出し位置への移動に連動して前記戸体の蹴り出しを行う構成とされ、前記制御部は、前記操作部の解錠操作に基づいて、前記連動バーを前記施錠位置から前記解錠位置を通過して前記蹴り出し位置まで移動させ、その後、前記連動バーを前記蹴り出し位置から前記解錠位置まで移動させる前記電動モータの駆動制御を実行し、かつ、前記操作部の施錠操作に基づいて、前記連動バーを前記解錠位置から前記施錠位置まで移動させる前記電動モータの駆動制御を実行する構成とされていることを特徴とする。
【０００９】
本発明の電動錠装置によれば、操作部の解錠操作によって電動モータを駆動して連動バーを移動することで、錠を解錠し、この解錠に連続して蹴り出し機構による戸体の蹴り出しを行うことができる。また、操作部の施錠操作によって電動モータを駆動して連動バーを移動することで、錠を施錠できる。このように、簡単な操作で施錠、解錠および蹴り出し動作を行うことができる。
【００１０】
本発明の電動錠装置では、前記連動バーは上下動可能に配置され、前記伝達機構は、前記電動モータに連結された減速歯車機構と、前記減速歯車機構に連結された回動部材と、前記連動バーに取り付けられたスライダとを備え、前記回動部材には、その回動軸心から離間した位置にガイドピンが取り付けられ、前記スライダには、前記ガイドピンが配置された横ガイド溝が形成されていることが好ましい。
このような構成によれば、電動モータの駆動が減速歯車機構によって減速されるので、減速された分だけ大きなトルクで蹴り出し動作を行うことができ、例えば一般的な戸体よりも大型で重たい戸体を大きな力で蹴り出すことができる。
【００１１】
本発明の電動錠装置では、前記連動バーに係合してその移動を規制する空掛け防止機構を備え、前記空掛け防止機構は、前記戸体に装着可能なケースと、前記ケースに対して進退可能に配置された戸当り部材と、前記戸当り部材を前記ケースに対して前進方向に付勢する付勢部材とを備え、前記連動バーには切欠き部が形成され、前記戸当り部材は、前記ケースに対して前進した状態で前記切欠き部に係合し、前記ケースに対して後退した状態で前記切欠き部との係合が外れる構成とされていることが好ましい。
このような構成によれば、引戸の縦枠に対して戸当り部材が当接してケースに対して後退した状態では、戸当り部材と連動バーの切欠き部との係合が外れているので、連動バーは移動可能であり、操作部の解錠操作や施錠操作によって錠および蹴り出し機構を動作させることができる。一方、縦枠に対して戸当り部材が離れてケースに対して前進した状態では、戸当り部材と連動バーの切欠き部とが係合しているので、連動バーの移動はできず、錠および蹴り出し機構を不作動状態にできる。
【００１２】
本発明の引戸は、枠体と、枠体内に配置されたスライド可能な戸体と、前記戸体に装着された前述した本発明の電動錠装置とを備えていることを特徴とする。
【００１３】
本発明の引戸によれば、前述した本発明の電動錠装置と同様の作用効果を発揮できる引戸を構成できる。
【発明の効果】
【００１４】
本発明によれば、簡単な操作で施錠、解錠および蹴り出し動作を行うことができる電動錠装置および引戸を提供できる。
【図面の簡単な説明】
【００１５】
【図１】本発明の実施形態に係る引戸を示す内観姿図。
【図２】前記実施形態に係る引戸の電動錠装置を示す正面図。
【図３】前記実施形態に係る引戸の電動操作ユニットを分解して示す斜視図。
【図４】前記実施形態に係る引戸のスライダを示す斜視図。
【図５】前記実施形態に係る引戸の蹴り出し機構を示す斜視図。
【図６】前記実施形態に係る引戸の連動バーを示す斜視図。
【図７】前記実施形態に係る引戸の空掛け防止機構を示す説明図。
【図８】前記実施形態に係る引戸の電動操作ユニットの動作を示す縦断面図。
【図９】前記実施形態に係る引戸の電動錠装置の動作を示す説明図。
【図１０】前記実施形態に係る引戸の空掛け防止機構の動作を示す斜視図。
【図１１】従来における開放支援機構付き鎌錠を示す縦断面図。
【発明を実施するための形態】
【００１６】
［本実施形態の構成］
以下、本発明の実施形態を図面に基づいて説明する。
図１において、本実施形態に係る引戸としての引き違い戸１は、枠体２と、枠体２内に左右方向に引き違い可能に配置された戸体３，４と、戸体３，４にそれぞれ取り付けられた電動錠装置１０とを備えている。戸体３は、戸体４よりも室外側に配置されている。
【００１７】
枠体２は、上枠２１、下枠２２および左右の縦枠２３を枠組みして構成されている。上枠２１には、その室外側および室内側に上レール（図示省略）が形成されており、各上レールには、戸体３，４の後述する上框３１，４１が、左右方向にスライド可能に嵌合している。下枠２２には、その室外側および室内側に下レール（図示省略）が形成されており、各下レールには、戸体３，４の後述する下框３２，４２に設けられた戸車が左右方向に走行可能に載置されている。
【００１８】
戸体３は、上框３１、下框３２および左右の縦框３３と面材としての複層ガラスパネル３４を框組みして構成されている。図１において左側に示す縦框３３が戸先縦框であり、この戸先縦框に対して右側にある縦框（図示省略）が外召合せ框である。なお、本実施形態では、複層ガラスパネル３４を用いているが、単層ガラスパネルであってもよい。
【００１９】
戸体４は、上框４１、下框４２および左右の縦框４３と面材としての複層ガラスパネル４４を框組みして構成されている。図１において右側に示す縦框４３が戸先縦框であり、この戸先縦框に対して左側にある縦框が内召合せ框４３である。なお、本実施形態では、複層ガラスパネル４４を用いているが、単層ガラスパネルであってもよい。また、内召合せ框４３および前述した外召合せ框にはクレセント錠５が取り付けられている。
【００２０】
戸体３，４に取り付けられた電動錠装置１０は、互いに同様に構成されているので、以下、戸体４に取り付けられた電動錠装置１０について詳細に説明し、戸体３に取り付けられた電動錠装置１０についてはその詳細な説明を省略する。
【００２１】
電動錠装置１０は、図２に示すように、戸体４の戸先側の縦框４３に装着された電動操作ユニット５０と、戸体４の解錠および施錠を行う図示しない錠と、戸体４の蹴り出しを行う蹴り出し機構６０（開放支援機構）と、電動操作ユニット５０、蹴り出し機構６０および錠を連結した連動部材である連動バー８０と、連動バー８０に係合してその移動を規制する空掛け防止機構７０とを備えている。
【００２２】
電動操作ユニット５０は、図３に示すように、解錠操作および施錠操作可能な操作部５１と、電動モータ５２と、バッテリボックス５３と、操作部５１の操作に基づいて電動モータ５２の回転駆動を制御する制御部５４と、電動モータ５２の回転駆動を連動バー８０に伝達する伝達機構５６と、操作部５１、電動モータ５２、バッテリボックス５３、制御部５４および伝達機構５６が設けられた縦長のケース５７とを備えている。
ケース５７は、戸体４の戸先側の縦框４３に形成された開口に配置されており、操作部５１は、ケース５７の室内面側に露出して操作可能に配置されている。電動モータ５２および制御部５４は、取付板６に取り付けられている。電動モータ５２の回転軸は上下方向に沿って配置されている。制御部５４は、制御基盤によって構成されており、後述する解錠ボタン５１２、施錠ボタン５１３、電動モータ５２およびバッテリボックス５３に電気的に接続されており、操作部５１の操作に基づいてバッテリボックス５３から電動モータ５２に電力を供給する。
【００２３】
操作部５１は、ケース５７の室内面に装着される操作カバー５１１と、操作カバー５１１に形成された二つの孔部にそれぞれ操作可能に配置された解錠ボタン５１２および施錠ボタン５１３（図２参照）とを備えている。
【００２４】
伝達機構５６は、電動モータ５２に連結された減速歯車機構５６１と、減速歯車機構５６１に連結された回動部材５９と、連動バー８０に取り付けられたスライダ５５とを備えている。
【００２５】
減速歯車機構５６１は、電動モータ５２の回転軸に取り付けられた第一ねじ歯車５６２と、第一ねじ歯車５６２と噛合した第二ねじ歯車５６３と、第二ねじ歯車５６３に同軸上に取り付けられた第一歯車５６４（平歯車）と、第一歯車５６４と噛合した大径歯部５６５Ａおよび大径歯部５６５Ａよりも小径の小径歯部５６５Ｂを有した段付歯車５６５と、段付歯車５６５の小径歯部５６５Ｂと噛合した第二歯車５６６（平歯車）とを備えている。段付歯車５６５および第二歯車５６６の軸部は、一対の支持板５６７Ａ，５６７Ｂに軸支されており、第二ねじ歯車５６３および第一歯車５６４の軸部は、支持板５６７Ａ，５６７Ｂおよび取付板６に軸支されている。第二歯車５６６の軸部は回動部材５９に取り付けられている。
【００２６】
第一ねじ歯車５６２の軸部は、上下方向に沿っている。一方、第二ねじ歯車５６３および第一歯車５６４の軸部は水平方向に沿っており、電動錠装置１０の縦框４３への取付け状態では、戸体４の見込み方向に沿って配置されている。このように、第一ねじ歯車５６２および第二ねじ歯車５６３は食い違い軸であるので、本実施形態のように回転軸が上下方向に沿うように電動モータ５２を縦向きに配置しても、第二ねじ歯車５６３の軸部を水平方向に沿って配置できる。これにより、電動モータ５２を縦長のケース５７内に収容することが容易であり、電動モータ５２が戸体４の見込み方向に突出して配置されることをなくし得る。
【００２７】
第一歯車５６４は、段付歯車５６５の大径歯部５６５Ａよりも小径であり、このため、第一歯車５６４の回転は段付歯車５６５に減速（一次減速）されて伝達される。また、段付歯車５６５の小径歯部５６５Ｂは、第二歯車５６６よりも小径であり、このため、段付歯車５６５の回転は第二歯車５６６に減速（二次減速）されて伝達される。このように電動モータ５２の回転駆動は、第一ねじ歯車５６２側から第二歯車５６６側に減速して伝達されるので、トルクが大きくなった回転が回動部材５９に伝達される。
【００２８】
回動部材５９は、円板状基部５９１と、円板状基部５９１の周縁に連続した扇状回動部５９２とを有しており、円板状基部５９１の中心部に前述した第二歯車５６６の軸部が取り付けられている。扇状回動部５９２には、回動部材５９の回動軸心から離れて配置されたカラー付きのガイドピン５９Ａが取り付けられている。
【００２９】
スライダ５５は、図４に示すように、断面略Ｌ字形状に形成された板状部材であり、スライダ５５の板状の本体部５５１と、本体部５５１の上下間において直角に折曲された取付部５５２とを有している。取付部５５２は、板状であって本体部５５１よりも上下方向に短く形成されている。
【００３０】
本体部５５１には、上下方向に同じ長さで互いに一直線上に延在して形成された一対の上下のガイド溝５５１Ａ，５５１Ｂが形成されている。
また、本体部５５１の上下方向における中間部分には、その一方の側縁から幅方向（横方向）に沿った横ガイド溝５５１Ｃが形成されており、この横ガイド溝５５１Ｃには、前述したガイドピン５９Ａが挿入されている。
取付部５５２には、上下一対の孔５５２Ａ，５５２Ｂが形成されている。取付部５５２は、孔５５２Ａ，５５２Ｂに挿通されたねじ（図示省略）によって連動バー８０にねじ止めされている。
【００３１】
ケース５７は、ケース本体５７１と、ケース本体５７１にねじ止めされて当該ケース本体５７１の開口を閉じるケースカバー５７２とを備えている。
ケース本体５７１の内部には、電動モータ５２、バッテリボックス５３、制御部５４および伝達機構５６が収容されている。また、ケース本体５７１は、第一当接部５７３と、第二当接部５７４とを有している。第一当接部５７３は、電動錠装置１０による戸体４の施錠状態において回動部材５９の扇状回動部５９２の周方向における一方の縁部に当接する位置に配置されている。第二当接部５７４は、電動錠装置１０による戸体４の解錠状態において回動部材５９の扇状回動部５９２の周方向における他方の縁部に当接する位置に配置されている。
ケースカバー５７２のスライダ５５に対する対向面側には、ガイドピン５８Ａ，５８Ｂが設けられており、ガイドピン５８Ａ，５８Ｂは、それぞれスライダ５５のガイド溝５５１Ａ，５５１Ｂに挿入されている。
【００３２】
電動錠装置１０の錠は、連動バー８０の上下動に連動して回動する周知の掛け金などのロック装置によって構成されている。掛け金は、戸体４に対して戸先側の縦枠２３に固定された掛止部に掛けられた状態で戸体４を施錠状態とし、掛止部から外れた状態で戸体４を解錠状態とする。
前述したロック装置は任意の構造（例えば、実公昭５９−１５５８４号公報、特開２００６−２４１７４８号公報に記載された錠など）が採用可能である。ここで、電動操作ユニット５０で直接に掛け金などを回動させるものに限られず、連動バー８０の上下動に連動して施錠、解錠する構成であってもよい。
【００３３】
蹴り出し機構６０は、図５に示すように、取付用の基板６１と、基板６１に回動可能に連結された蹴り出しアーム６３とを備えている。
基板６１は、戸体４の戸先側の縦框４３に取り付けるための取付部６１Ａと、取付部６１Ａから直角に折曲されたアーム支持部６１Ｂとを備えている。この基板６１は、断面略Ｌ字状に形成されている。
アーム支持部６１Ｂには、図５（Ａ）に示すように、その上端部に連結ピン６２で蹴り出しアーム６３が回転可能に取り付けられており、蹴り出しアーム６３の自由端（回動端）には蹴り出しローラ６４が回転可能に取り付けられている。
【００３４】
アーム支持部６１Ｂには、縦方向に沿った第１のガイド溝６１１が形成されており、また、蹴り出しアーム６３には、縦方向のガイド溝部分の上端から斜め上方へ屈曲した溝を有した第２のガイド溝６３１が形成されている。第２のガイド溝６３１は、全体として略へ字状に形成されている。各ガイド溝６１１，６３１の縦方向部分は、互いに位置整合されて配置されている。
【００３５】
連動バー８０には、図５（Ｂ）に示すように、断面略Ｌ字状のガイドピン取付部材８４の取付面８４Ａがねじ止めされている。ガイドピン取付部材８４の取付面８４Ａから直角に折曲されたガイドピン取付面８４Ｂには、ガイドピン８６が立設されている。
【００３６】
ガイドピン８６は、図５（Ａ）に示すように、基板６１のアーム支持部６１Ｂの第１のガイド溝６１１と蹴り出しアーム６３の略へ字状に屈曲した第２のガイド溝６３１の両方に挿通されている。
【００３７】
この連動バー８０は、上下動によって施錠位置（図９（Ａ）参照）、解錠位置（図９（Ｂ）参照）および蹴り出し位置（図９（Ｃ）参照）に配置可能である。ここで、連動バー８０の施錠位置は下方に下がった位置であり、連動バー８０の蹴り出し位置は上方に上がった位置であり、連動バー８０の解錠位置は、施錠位置および蹴り出し位置間の位置である。
この構成において、戸体４の閉鎖状態から、電動操作ユニット５０の解錠ボタン５１２の操作により電動モータ５２を回転駆動して連動バー８０を施錠位置から解錠位置へ上昇させると、ガイドピン８６は第１のガイド溝６１１と第２のガイド溝６３１の縦方向溝部分中を上昇する。ここで、ガイドピン８６が第２のガイド溝６３１の縦方向溝部分中を上昇する間は、蹴り出しアーム６３は駆動されず不動であるが、この間に錠の解錠が行われる。
【００３８】
錠の解錠に続いて、連動バー８０が解錠位置から蹴り出し位置へさらに上昇し、ガイドピン８６が第２のガイド溝６３１の斜め上方向き溝部分に至ると、上昇するガイドピン８６が、斜め上向きの溝部分を押し上げる。これにより、蹴り出しアーム６３は、連結ピン６２の回りで回動して戸体４の縦框４３から外方に出て、図１において右側に示す縦枠２３を蹴って戸体４を開放方向に押し出す。
【００３９】
このように、本実施形態では、電動操作ユニット５０の操作により、まず錠の解錠を行い、その後に蹴り出しアーム６３による蹴り出しを行う。この場合、連動バー８０の上昇開始から蹴り出しアーム６３による蹴り出し開始までの動作は、ガイドピン８６が第２のガイド溝６３１の縦方向溝部分中を移動するガイドピン８６の空動きによって遅延される。
なお、本実施形態では、第２のガイド溝６３１の縦方向溝部分の長さは、操作部５１の電動モータ５２を回転駆動させたときのスライダ５５および連動バー８０の摺動長さに設定されている。
【００４０】
連動バー８０は、電動操作ユニット５０の操作によるスライダ５５の上下動を蹴り出し機構６０に伝達する連動部材として構成されており、板状であっても棒状であってもよい。図６に示すように、連動バー８０の下端側は、スライダ５５の取付部５５２に連結されており、連動バー８０の上端側は、ガイドピン取付部材８４に連結されている。
【００４１】
連動バー８０の上下方向における中間部には、図６に示すように、横方向に沿った切欠き部８５が形成されており、切欠き部８５は、図２に示す空掛け防止機構７０の一部を構成している。具体的には、切欠き部８５は、戸体４の開放時において後述する空掛け防止機構７０のストッパとなる壁部７２３に係合し、それにより、連動バー８０の上下動が阻止されて、戸体４の開放時におけるロック装置の空掛け防止がなされている。
【００４２】
空掛け防止機構７０は、図７に示すように、戸体４の戸先側の縦框４３に装着されたケース７５と、ケース７５に対して戸体４の開閉方向に進退可能に配置された戸当り部材７２（トリガ）と、戸当り部材７２を戸体４に対して戸先側の縦枠２３側に向かう前進方向に付勢する付勢部材としてのコイルばね７４（圧縮コイルばね）とを備えている。ケース７５の側壁は戸当り部材７２が進退動作する際のガイドとなっている。
【００４３】
戸当り部材７２は、戸体４に対して戸先側の縦枠２３の見込み面に当接する当接面７２１と、連動バー８０の通過を許容する溝部７２２と、戸体４に対して戸先側の縦枠２３から当該戸体４が離れて戸当り部材７２が戸先側の縦框４３から突出したとき、連動バー８０の切欠き部８５の上下の端部８５１，８５２（図６参照）に当接して、連動バー８０の上下動を阻止するストッパとなる壁部７２３とを備えている。
【００４４】
戸当り部材７２は、戸体４が全閉した状態では、戸体４に対して戸先側の縦枠２３に当接面７２１が当接し、コイルばね７４を圧縮してケース７５に対して後退する。一方、戸体４を開放した状態では、コイルばね７４の弾性的な付勢力によってケース７５に対して前進して戸先側の縦框４３から前記戸先側の縦枠２３側に向かって突出する。なお、図７（Ａ）および図７（Ｂ）は、いずれも戸当り部材７２がコイルばね７４の付勢力によって突出した状態を示している。
【００４５】
ここで、図７（Ｂ）に示す戸当り部材７２の溝部７２２の幅Ｗ１は、連動バー８０の幅Ｗ２よりも広く構成されている。従って、全閉状態の戸体４が所定の幅Ｗ１に相当する幅（距離）だけ開く間は、連動バー８０は自由に上下動可能である。
戸体４が幅Ｗ１に相当する幅だけ開くと、連動バー８０の切欠き部８５と戸当り部材７２の壁部７２３とが当接して連動バー８０の上下動を阻止する。この状態では、連動バー８０が拘束されるため、ロック装置の空掛けおよび蹴り出しアーム６３の作動が阻止される。
【００４６】
戸体４を閉じる場合には、戸体４が全閉位置に近づいて戸先側の縦框４３から突出した戸当り部材７２の当接面７２１が当該戸体４に対して戸先側の縦枠２３に当接すると、戸当り部材７２は、コイルばね７４の付勢力に抗して後退する。この場合、戸当り部材７２の後退幅が、連動バー８０と当接している溝部７２２の壁部７２３の幅Ｗ２（連動バー８０の幅と等しく形成されることが好ましい）を越えると、連動バー８０は戸当り部材７２との当接が外れ、戸当り部材７２の溝部７２２中を自由に上下動可能になる。従って、この位置において、つまり全開位置に至るのに先立って戸体４の施錠動作が可能になる。
【００４７】
なお、戸体３に取り付けられた電動錠装置１０は、戸体４に取り付けられた電動錠装置１０と同様に構成されており、前述同様に戸体３の施錠、解錠および蹴り出しをするものであるので、その詳細な説明を省略する。
【００４８】
［本実施形態の動作］
以下、本実施形態に係る引き違い戸１の戸体４側における動作を説明する。なお、戸体３側における動作も概略同様であるのでその説明を省略する。
戸体４側の電動錠装置１０は、電動モータ５２の回転駆動に基づいて錠を施錠または解錠するとともに、蹴り出し機構６０を作動して戸体４を全閉位置から蹴り出して、戸体４の開放を支援する。また、戸体４の開放状態においては、空掛け防止機構７０により電動錠装置１０（蹴り出し機構６０を含む）の作動を禁止する。以下詳述する。
【００４９】
［解錠動作］
図８（Ａ）および図９（Ａ）は、戸体４が閉じかつ電動錠装置１０で施錠された施錠状態を示している。操作部５１の解錠ボタン５１２が押されると、電動モータ５２が回転駆動し、この回転駆動が減速歯車機構５６１を介して回動部材５９に伝達され、回動部材５９が上方に向かって回動することでガイドピン５９Ａが横ガイド溝５５１Ｃに沿って揺動しながら上昇し、このガイドピン５９Ａの上昇によって、スライダ５５は、上下のガイド溝５５１Ａ，５５１Ｂがケースカバー５７２のガイドピン５８Ａ，５８Ｂに案内されながら押し上げられる。スライダ５５の上昇することで、当該スライダ５５に取り付けられた連動バー８０も施錠位置から解錠位置へ向かって上昇する。
【００５０】
連動バー８０が上昇すると、連動バー８０の上部に取り付けたガイドピン取付部材８４のガイドピン８６は、第１のガイド溝６１１および第２のガイド溝６３１に沿って上昇する。同時に、連動バー８０の上昇に連動して図示しない掛け金を戸体４に対して戸先側の縦枠２３の掛止部から引き上げて解錠する。このとき、スライダ５５および連動バー８０は図８（Ｂ）および図９（Ｂ）に示す解錠位置に配置される。
操作部５１の電動モータ５２の回転駆動に伴って連動バー８０がさらに上昇すると、連動バー８０のガイドピン取付部材８４のガイドピン８６は、蹴り出しアーム６３の第２のガイド溝６３１の斜め上方へ向かう屈曲部に到達する。
【００５１】
電動モータ５２は戸体４の解錠後も連続して回転駆動するので、連動バー８０に連結されたガイドピン取付部材８４のガイドピン８６はさらに上昇し、第２のガイド溝６３１の斜め上方に傾斜した部分に達すると、その斜めになった第２のガイド溝６３１の上側の壁に当接してこれを押し上げる。これにより、第２のガイド溝６３１を設けた蹴り出しアーム６３は連結ピン６２の周りで上方に向かって回動する。
【００５２】
この回動に伴い、蹴り出しアーム６３の自由端（回動端）に回転可能に支持された蹴り出しローラ６４は、戸体４に対して戸先側の縦枠２３を押して当該戸体４を戸先側の縦枠２３から引き離す（即ち、蹴り出す）。この蹴り出しローラ６４による戸体４の蹴り出しは、スライダ５５および連動バー８０が図８（Ｃ）および図９（Ｃ）に示す蹴り出し位置に到達するまで続けられる。スライダ５５および連動バー８０が蹴り出し位置にそれぞれ到達すると、回動部材５９の扇状回動部５９２の一方の縁部が第一当接部５７３に当接し、電動モータ５２における電流値が上昇する。制御部５４は、この電流値の上昇を検知して電動モータ５２の回転駆動を一旦停止させ、逆方向に所定量だけ回転駆動させる。この逆方向の回転駆動が伝達機構５６などを介してスライダ５５および連動バー８０を蹴り出し位置から解錠位置まで下降して停止する。
【００５３】
ここで、連動バー８０が蹴り出し位置から解錠位置へ向かって下降することによって、ガイドピン取付部材８４のガイドピン８６は、蹴り出しアーム６３の第２のガイド溝６３１の斜め上方へ向かう屈曲部を下降し、蹴り出し機構６０の蹴り出しローラ６４は、戸体４の縦框４３内の待機位置へ戻る。
このようにして、電動錠装置１０によって戸体４の解錠および蹴り出しを連続動作させる解錠動作を行う。
【００５４】
［施錠動作］
図８（Ｂ）および図９（Ｂ）は、戸体４が開きかつ電動錠装置１０によって錠が解錠された解錠状態を示している。操作部５１の施錠ボタン５１３が押されると、電動モータ５２が回転駆動し、この回転駆動が減速歯車機構５６１を介して回動部材５９に伝達され、回動部材５９が下方に向かって回動することでガイドピン５９Ａが横ガイド溝５５１Ｃに沿って揺動しながら下降し、このガイドピン５９Ａの下降によって、スライダ５５は、上下のガイド溝５５１Ａ，５５１Ｂがケースカバー５７２のガイドピン５８Ａ，５８Ｂに案内されながら押し下げられる。スライダ５５が下降することで、当該スライダ５５に取り付けられた連動バー８０も解錠位置から施錠位置へ向かって下降する。
【００５５】
連動バー８０が下降すると同時に連動バー８０の下降に連動して図示しない掛け金を戸体４に対して戸先側の縦枠２３の掛止部に掛け落として施錠する。このとき、スライダ５５および連動バー８０は図８（Ａ）および図９（Ａ）に示す施錠位置に配置される。
スライダ５５および連動バー８０が施錠位置にそれぞれ到達すると、回動部材５９の扇状回動部５９２の他方の縁部が第二当接部５７４に当接し、電動モータ５２における電流値が上昇する。制御部５４は、この電流値の上昇を検知して電動モータ５２の回転駆動を停止する。
このようにして、電動錠装置１０によって戸体４の施錠動作を行う。
【００５６】
［空掛け防止機構の動作］
次に、一連の戸体４の解錠および蹴り出し動作が終了した段階で、空掛け防止機構７０が作動して、錠の空掛けが防止される。次に、その点について説明する。
前述したように、戸先側の縦框４３の連動バー８０に沿った操作部５１および蹴り出し機構６０間の位置に空掛け防止機構７０が設けられている。
【００５７】
電動錠装置１０による施錠状態では、空掛け防止機構７０は、図１０（Ａ）に示すように、戸先側において戸体４の縦框４３と縦枠２３とが当接しており、この状態では、戸当り部材７２はコイルばね７４の付勢力に抗して縦枠２３に当接している。そのため、戸当り部材７２は縦框４３側に止まっており、連動バー８０は、戸当り部材７２の溝部７２２中を自由に移動できる。
【００５８】
電動錠装置１０による解錠状態では、空掛け防止機構７０は、図１０（Ｂ）に示すように、連動バー８０が上昇し、その切欠き部８５が戸当り部材７２の溝部７２２を通過する。この段階ではロックの解錠がなされているが、まだ、蹴り出し機構６０は作動していない。そのため、戸先側において戸体４の縦框４３と縦枠２３とが当接しており、連動バー８０は図１０（Ａ）に示す状態と同様に戸当り部材７２の溝部７２２中を自由に移動できる。
【００５９】
電動錠装置１０による蹴り出し状態では、空掛け防止機構７０は、図１０（Ｃ）に示すように、戸体４が戸先側の縦枠２３から離れるため、戸当り部材７２に対する戸体４からのコイルばね７４に対する抗力は作用しない。従って、戸当り部材７２は戸体４の縦框４３から外方に突出しようとするが、連動バー８０の切欠き部８５の下側の部分が戸当り部材７２の溝部７２２の下側側壁部と当接しているため、戸当り部材７２の突出が阻まれている。
【００６０】
図１０（Ｄ）は、一旦蹴り出した蹴り出しローラ６４が元の待機位置に戻るために連動バー８０が図１０（Ｃ）に示す状態から下降した状態を示している。連動バー８０の下降中に、連動バー８０の切欠き部８５が溝部７２２の位置に合致すると、連動バー８０の拘束が解かれる。このため、戸当り部材７２はコイルばね７４の付勢力によって連動バー８０の切欠き部８５を通って縦框３３から飛び出した空掛け防止状態となる。
【００６１】
戸当り部材７２が一旦縦框３３から飛び出すと、連動バー８０の切欠き部８５の上下の端部８５１，８５２は、戸当り部材７２の上下を挟み込む位置関係になる。そのため、連動バー８０を上昇させようとすれば戸当り部材７２の壁部７２３が切欠き部８５の上側の端部８５１に当接し、また、連動バー８０を下降させようとすれば、戸当り部材７２の下壁面が切欠き部８５の下側の端部８５２に当接する。そのため、連動バー８０の移動は不可能になる。従って、ロック装置の空掛けを防止できる。
【００６２】
［本実施形態の効果］
（１）本実施形態では、電動錠装置１０は、戸体４（３）に装着可能な電動操作ユニット５０と、戸体４（３）の解錠および施錠を行う錠と、戸体４（３）の蹴り出しを行う蹴り出し機構６０と、電動操作ユニット５０、錠および蹴り出し機構６０を連結した連動バー８０とを備え、電動操作ユニット５０は、解錠操作および施錠操作可能な操作部５１と、電動モータ５２と、操作部５１の操作に基づいて電動モータ５２の駆動を制御する制御部５４と、電動モータ５２の駆動を連動バー８０に伝達する伝達機構５６とを備え、連動バー８０は、施錠位置と、蹴り出し位置と、当該施錠位置および蹴り出し位置間にある解錠位置とに移動可能に配置され、錠は、連動バー８０の施錠位置から解錠位置への移動に連動して解錠し、かつ、連動バー８０の解錠位置から施錠位置への移動に連動して施錠する構成とされ、蹴り出し機構６０は、連動バー８０の解錠位置から蹴り出し位置への移動に連動して戸体４（３）の蹴り出しを行う構成とされ、制御部５４は、操作部５１の解錠操作に基づいて、連動バー８０を施錠位置から解錠位置を通過して蹴り出し位置まで移動させ、その後、スライダ５５を蹴り出し位置から解錠位置まで移動させる電動モータ５２の駆動制御を実行し、かつ、操作部５１の施錠操作に基づいて、連動バー８０を解錠位置から施錠位置まで移動させる電動モータ５２の駆動制御を実行する構成とされていることを特徴とする。
上記構成を有するため、操作部５１の解錠操作によって電動モータ５２を駆動して連動バー８０を上方に移動することで、錠を解錠し、この解錠に連続して蹴り出し機構６０による戸体４（３）の蹴り出しを行うことができる。また、操作部５１の施錠操作によって電動モータ５２を駆動して連動バー８０を下方に移動することで、錠を施錠できる。このように、簡単な操作で施錠、解錠および蹴り出し動作を行うことができる。
さらに、本実施形態では、以下の各効果を発揮できる。
（２）前記実施形態では、連動バー８０は上下動可能に配置され、伝達機構５６は、電動モータ５２に連結された減速歯車機構５６１と、減速歯車機構５６１に連結された回動部材５９と、連動バー８０に取り付けられたスライダ５５とを備え、回動部材５９には、その回動軸心から離間した位置にガイドピン５９Ａが取り付けられ、スライダ５５には、ガイドピン５９Ａが配置された横ガイド溝５５１Ｃが形成されている。
このため、電動モータ５２の駆動が減速歯車機構５６１によって減速されるので、減速された分だけ大きなトルクで蹴り出し動作を行うことができ、例えば一般的な戸体よりも大型で重たい戸体４（３）を大きな力で蹴り出すことができる。また、施錠時には、戸体４（３）と縦枠２３に介在されたエアタイト材を潰しながら施錠することが可能である。
（３）前記実施形態では、連動バー８０に係合してその移動を規制する空掛け防止機構７０を備え、空掛け防止機構７０は、戸体４（３）に装着可能なケース７５と、ケース７５に対して進退可能に配置された戸当り部材７２と、戸当り部材７２をケース７５に対して前進方向に付勢する付勢部材としてのコイルばね７４とを備え、連動バー８０には切欠き部８５が形成され、戸当り部材７２は、ケース７５に対して前進した状態で切欠き部８５に係合し、ケース７５に対して後退した状態で切欠き部８５との係合が外れる構成とされている。
このため、戸先側の縦枠２３に対して戸当り部材７２が当接してケース７５に対して後退した状態では、戸当り部材７２と連動バー８０の切欠き部８５との係合が外れているので、連動バー８０は移動可能であり、操作部５１の解錠操作や施錠操作によって錠および蹴り出し機構６０を動作させることができる。一方、戸先側の縦枠２３に対して戸当り部材７２が離れてケース７５に対して前進した状態では、戸当り部材７２と連動バー８０の切欠き部８５とが係合しているので、連動バー８０の移動はできず、錠および蹴り出し機構を不作動状態にできる。
また、錠の空掛け防止を、戸当り部材７２と連動バー８０との当接による簡易な構成により自動で行えるため、全体として電動錠装置１０の操作を単純化できる。
【００６３】
［変形例］
本発明は、以上の実施形態で説明した構成のものに限定されず、本発明の目的を達成できる範囲での変形例は、本発明に含まれる。
例えば、前記実施形態では、電動錠装置１０の蹴り出し機構６０は一つであるものとして説明したが、これに限られず、複数の蹴り出し機構６０があってもよい。例えば、複数の蹴り出し機構６０を縦框４３（３３）内において上下方向に所定間隔を隔てて取り付け、これらを一つの連動バー８０に連動させてもよい。このように構成した場合には、複数の蹴り出し機構６０を同時に作動でき、一つの蹴り出し機構６０だけの場合よりも、戸体４（３）をバランス良く押し出すことができ、戸体４（３）の全閉位置からの押出し動作をスムーズに行うことができる。
【００６４】
前記実施形態では、伝達機構５６は、電動モータ５２の回転を回動部材５９に減速して伝達する減速歯車機構５６１を備えているが、これに限られず、十分なトルクが得られる場合には、減速せずに伝達する歯車機構を備えていてもよい。
【００６５】
前記実施形態では、電動錠装置１０は、空掛け防止機構７０を備えているが、錠の空掛け防止を戸体４（３）の開閉に応じて自動的に行う必要性がない場合には、この空掛け防止機構７０の構成を省略してもよい。
【００６６】
前記実施形態では、引き違い戸１を引戸として説明したが、片引き戸であってもよく、また、引き違い窓や片引き窓であってもよい。
【符号の説明】
【００６７】
１…引き違い戸（引戸）、１０…電動錠装置、１０２…引戸、１０４…ストライカー、１１０…ケース、１１５…フックボルト、１１７…トリガー、１２０…サムターン軸、１４２…キックレバー、１４５…操作ハンドル、１４６…付勢ばね、１４７…リンク棒、２…枠体、２１…上枠、２２…下枠、２３…縦枠、３，４…戸体、３１，４１…上框、３２，４２…下框、３３，４３…縦框、３４，４４…複層ガラスパネル、５…クレセント錠、５０…電動操作ユニット、５１…操作部、５１１…操作カバー、５１２…解錠ボタン、５１３…施錠ボタン、５２…電動モータ、５３…バッテリボックス、５４…制御部、５５…スライダ、５５１…本体部、５５１Ａ，５５１Ｂ…ガイド溝、５５１Ｃ…横ガイド溝、５５２，６１Ａ…取付部、５５２Ａ，５５２Ｂ…孔、５６…伝達機構、５６１…減速歯車機構、５６２…第一ねじ歯車、５６３…第二ねじ歯車、５６４…第一歯車、５６５…段付歯車、５６５Ａ…大径歯部、５６５Ｂ…小径歯部、５６６…第二歯車、５６７Ａ，５６７Ｂ…支持板、５７，７５…ケース、５７１…ケース本体、５７２…ケースカバー、５７３…第一当接部、５７４…第二当接部、５８Ａ，５８Ｂ，５９Ａ，８６…ガイドピン、５９…回動部材、５９１…円板状基部、５９２…扇状回動部、６…取付板、６０…蹴り出し機構、６１…基板、６１１…第１のガイド溝、６１Ｂ…アーム支持部、６２…連結ピン、６３…蹴り出しアーム、６３１…第２のガイド溝、６４…蹴り出しローラ、７０…空掛け防止機構、７２…戸当り部材、７２１…当接面、７２２…溝部、７２３…壁部、７４…コイルばね、８０…連動バー、８４…ガイドピン取付部材、８４Ａ…取付面、８４Ｂ…ガイドピン取付面、８５…切欠き部、８５１，８５２…端部。
【図１】
2018127790.tif 000003
【図２】
2018127790.tif 000004
【図３】
2018127790.tif 000005
【図４】
2018127790.tif 000006
【図５】
2018127790.tif 000007
【図６】
2018127790.tif 000008
【図７】
2018127790.tif 000009
【図８】
2018127790.tif 000010
【図９】
2018127790.tif 000011
【図１０】
2018127790.tif 000012
【図１１】
2018127790.tif 000013